(57)【特許請求の範囲】
【請求項１】
画質向上用のコイルを備えた主板部に、該コイルに給電するための回路基板が取り付けられたＣＲＴ用ネックアセンブリ装置において、
前記主板部に該主板部の面方向に沿ってスライド可能に装着される少なくとも一つのスライド部材を設け、
前記スライド部材を前記主板部にロックするロック手段を設け、
前記ロック手段によりロックされたスライド部材と前記主板部との間で回路基板を挟みつけて固定するようにした、
ことを特徴とするＣＲＴ用ネックアセンブリ装置。
【請求項２】
スライド部材と前記主板部との間で回路基板を挟みつけて固定する際に、主板部と回路基板は、主板部の厚さ方向に突出する突出部と、この突出部が嵌込まれる孔を介して結合される請求項１記載のＣＲＴ用ネックアセンブリ装置。
【請求項３】
前記主板部にガイド溝を有するガイド片が設けられ、前記スライド部材には前記ガイド溝にスライド可能に挿入されるスライド部と、このスライド部の端部に前記回路基板を主板部に押さえつける押え部が形成され、前記主板部とスライド部材との間に、弾性を有するロック用爪と該ロック用爪に係止されて前記スライド部材の抜けを防止するロック用孔が形成され、前記ロック手段はこれらロック用爪とロック用孔により構成されていることを特徴とする請求項１または２記載のＣＲＴ用ネックアセンブリ装置。
【請求項４】
前記主板部と回路基板とに、主板部のコイルと回路基板の回路導体とを電気的に接続するコネクタが設けられていることを特徴とする請求項１乃至３のいずれか１項記載のＣＲＴ用ネックアセンブリ装置。
【発明の詳細な説明】
【０００１】
【発明の属する技術分野】
本発明はＣＲＴ用ネックアセンブリ装置に関し、詳しくはＣＲＴ受像管のネック部に取り付けられるネックアセンブリに回路基板を取り付ける構造に関するものである。
【０００２】
【従来の技術】
ＣＲＴのネックアセンブリは、ＣＲＴ受像管の画質を向上させるため、画像の輪郭補正用に輝度の微分値電流を用いて偏向ヨークの水平偏向にわずかの変化を与える補正コイル（ＶＭコイル）を使用する場合がある。
この電流は高周波であり、コイルへの給電にリード線を長くすると減衰や輻射が増加する。
これを防ぐために、一般的にネックアセンブリの主板部に回路基板を直接固定し、コイルへの給電距離を最短にしている。
従来、ネックアセンブリの主板部に回路基板を取り付けるための手法としては、図４に示すような手段が用いられている。
すなわち、ＣＲＴのネック部保持用の保持筒２を備えた主板部１の下端両側にねじ孔２０を有する凸部２１を設け、回路基板１４をこの凸部２０に当ててねじ２２で止着するか、あるいは溶着する等の手段で取り付けている。
また、主板部１の下端部には、Ｌ型端子をカシメた端子板２３を取り付け、この端子板２３に回路基板１４に形成された孔２４を挿入し、端子板２３と回路導体２５とを半田付けしている。
【０００３】
【発明が解決しようとする課題】
上記のようなＣＲＴ用ネックアセンブリ装置では、主板部１の回路基板１４をねじ止めまたは溶着しているため、ねじ２２や工具が必要であり、また、半田付け作業もあるため、製造に種々の制約があった。
特に、テレビジョンやモニタセットの組立工程において、工具や部品を必要とする作業が入ると生産性が著しく低下するという問題があった。
本発明は上述の点に着目してなされたもので、ねじや溶着剤を不要とし、また、組立工具も用いることなく回路基板の取り付け作業が行え、組立工数の削減ができるＣＲＴ用ネックアセンブリ装置を提供することを目的とする。
【０００４】
【課題を解決するための手段】
前記目的を達成するため、本発明は、画質向上用のコイルを備えた主板部に、該コイルに給電するための回路基板が取り付けられたＣＲＴ用ネックアセンブリ装置において、前記主板部に該主板部の面方向に沿ってスライド可能に装着される少なくとも一つのスライド部材を設け、前記スライド部材を前記主板部にロックするロック手段を設け、前記ロック手段によりロックされたスライド部材と前記主板部との間で回路基板を挟みつけて固定するようにしたことを特徴とする。
【０００５】
また、本発明は、スライド部材と前記主板部との間で回路基板を挟みつけて固定する際に、主板部と回路基板は、主板部の厚さ方向に突出する突出部と、この突出部が嵌込まれる孔を介して結合されることを特徴とする。
また、本発明は、前記主板部にガイド溝を有するガイド片が設けられ、前記スライド部材には前記ガイド溝にスライド可能に挿入されるスライド部と、このスライド部の端部に前記回路基板を主板部に押さえつける押え部が形成され、前記主板部とスライド部材との間に、弾性を有するロック用爪と該ロック用爪にロックされて前記スライド部材の抜けを防止するロック用孔が形成され、前記ロック手段はこれらロック用爪とロック用孔により構成されていることを特徴とする。
また、本発明は、前記主板部と回路基板とに、主板部のコイルと回路基板の回路導体とを電気的に接続するコネクタが設けられていることを特徴とする。
【０００６】
本発明では、ネックアセンブリの主板部にスライド部材を装着し、該スライド部材をスライドさせて主板部との間で回路基板を挟みつけて固定するようにしたので、スライド部材のスライド操作のみで主板部への回路基板の組付けができ、ねじ、溶着剤等の部品や組立て用の工具が不要となり、全て簡単な作業で取り付けることができる。
【０００７】
【発明の実施の形態】
以下、本発明を図面に示す実施の形態に基づいて説明する。
図１、図２および図３において、ＣＲＴのネック部保持用の保持筒２を備えたネックアセンブリＡの主板部１の両端部には、横方向に所定間隔離れて相対向する一対のＬ字状ガイド片３が主板部１の面方向の上下に位置してそれぞれ設けられている。
この上下一対ずつの四か所に位置するガイド片３により主板部１の面方向に沿って上下方向に向くガイド溝４が形成される。
各ガイド片３の略中央部には、主板部１の厚さ方向に起伏可能で弾性を有するロック用爪５が形成されている。
スライド部材６は、主板部１に対し上下方向に長尺なスライド部７と、このスライド部７の下端部に逆Ｌ字状の形成された押え部８とで構成されている。
スライド部７は中央のリブ７ａの両側にガイド溝５に係合される挿入部７ｂが形成された断面凸字形状のものである。
スライド部７の裏面にはロック用孔９が形成されている。
スライド部材６は、そのスライド部７の挿入部７ｂがガイド溝５に摺動自在に嵌め込まれ、ロック用爪５にロック用孔９が合致するとスライド部材６は主板部１にロックされ、下方への動きは規制される。従って、実施例ではロック用爪５とロック用孔９によりロック手段が構成されている。
【０００８】
主板部１の下端部には、主板部１の厚さ方向に突出する突出基部１０が形成され、この突出基部１０上にピン状の突出部１１が形成されている。
主板部１の中央部下端縁には凹部１２が形成され、この凹部１２にピン側コネクタ１３が設けられている。
回路基板１４の上部には突出部１１に挿入される孔１５が形成され、また、裏面にはリセプタクル側コネクタ１６が取り付けられている。
回路基板１４の孔１５は突出部１１に挿入され、これによりリセプタクル側コネクタ１６がピン側コネクタ１３に接続される。
突出基部１０は主板部１と回路基板１４との間のスペーサの役目を果たしている。
【０００９】
図３に示すように、回路基板１４の前面は、スライド部材６の押え部８で押えられ、これにより回路基板１４は主板部１の下部とスライド部材６の押え部８とで挟まれた状態となる。
また、同時にコネクタ１３、１６によりネックアセンブリのコイルと回路基板１４は電気的に接続される。
【００１０】
次に、回路基板１４の組付け手順を図２および図３により説明する。
回路基板１４を取り付けていない状態で、スライド部材６の挿入部７ａをガイド片３のガイド溝４に挿入して上方にスライドさせ、図２に示すように押え部８が回路基板１４の取り付けに邪魔にならない位置まで上昇させておく。
この状態で回路基板１４の孔１５を突出部１１に挿入すると共に、リセプタクル側コネクタ１６をピン側コネクタ１３に接続する。
次に、スライド部材６を下降させると、ロック用爪５にロック用孔９が合致した位置でスライド部材６は主板部１にロックされ、スライド部材６の下方への動きは規制され、同時に押え部８が回路基板１４の前面を押さえる。
これにより、配線基板１４は突出部１１と孔１５との係合により主板部１に対して平行方向の動きは規制され、スライド部材６の押え部８により前後方向の動きが規制される。
上記実施の形態では、ロック用爪５を主板部１に、ロック用孔９をスライド部材６に設けているが、これとは逆にロック用爪５をスライド部材６に、ロック用孔９を主板部１に設けた構成でもよい。
【００１１】
また、突出部１１と孔１５の関係も、孔１５を主板部１に突出部１１を回路基板１４に設けた構成でもよい。
スライド部材６は、上記実施の形態のように左右２箇所に設けることが好ましいが、ガイド片３を中央寄りに形成し、押え部８を幅広に形成すれば、１個のスライド部材６でも実施は可能である。
【００１２】
以上のように、本実施の形態のＣＲＴ用ネックアセンブリ装置は、スライド部材６のスライド操作のみで主板部１への配線基板１４の組付けができ、ねじや溶着剤等の部品や組立て用の工具が不要となる。
また、突出部１１と孔１５との係止により、回路基板１４の主板部１に対するずれをなくすことができると共に、回路基板１４の位置決めも可能となる。
さらにまた、主板部１のコイルと回路基板１４との電気接続にコネクタ１３、１６を用いたことにより、半田付け工程をなくすことができる。
【００１３】
【発明の効果】
以上詳述したように本発明は、画質向上用のコイルを備えた主板部に、該コイルに給電するための回路基板が取り付けられたＣＲＴ用ネックアセンブリ装置において、前記主板部に該主板部の面方向に沿ってスライド可能に装着される少なくとも一つのスライド部材を設け、前記スライド部材を前記主板部にロックするロック手段を設け、前記ロック手段によりロックされたスライド部材と前記主板部との間で回路基板を挟みつけて固定するようにした。
そのため、スライド部材のスライド操作のみで主板部への回路基板の組付けができ、ねじや溶着剤等の部品や組立て用の工具が不要となり、全て簡単な作業で取り付けることができ、したがって、組立工程が簡略化され、工数の削減ができる。
【図面の簡単な説明】
【図１】本発明のＣＲＴ用ネックアセンブリ装置の実施の形態を示す分解斜視図である。
【図２】回路基板の組付け完了の状態を示すもので、（ａ）は正面図、（ｂ）は側面図である。
【図３】回路基板の組付け途中の状態を示すもので、（ａ）は正面図、（ｂ）は側面図である。
【図４】従来のＣＲＴ用ネックアセンブリ装置の分解斜視図である。
【符号の説明】
１  主板部
３  ガイド片
４  ガイド溝
５  ロック用爪（ロック手段）
６  スライド部材
７  スライド部
８  押え部
９  ロック用孔（ロック手段）
１１  突出部
１３  ピン側コネクタ
１４  回路基板
１５  孔
１６  リセプタクル側コネクタ
【図１】
0003633070.tif 000002
【図２】
0003633070.tif 000003
【図３】
0003633070.tif 000004
【図４】
0003633070.tif 000005